(57)【特許請求の範囲】
【請求項１】
基礎特典を付与するための基礎抽選が、ゲームをそれぞれ提供する複数のゲーム機によって形成される複数のグループのグループ毎に各グループに限定されるように各グループに属するゲーム機を介して提供される場合に、前記複数のゲーム機にネットワークを介して接続されるゲームシステムであって、
前記複数のグループのうちの二以上のグループを対象に拡大特典を付与するための拡大抽選を実行する条件として前記二以上のグループの少なくとも一つのグループに対応する前記基礎抽選の抽選結果が解禁条件を満たすか否か判別する条件判別手段と、
前記解禁条件が満たされる場合に当該解禁条件を満たすグループとしての解禁グループを対象に前記基礎抽選の代わりに前記拡大抽選を提供する一方で、前記拡大抽選の対象が前記二以上のグループのうち前記解禁グループに限定されるように前記解禁条件が満たされるまで前記拡大抽選の提供をグループ毎に制限する拡大抽選手段と、
を備える、ゲームシステム。
【請求項２】
前記条件判別手段は、前記複数のゲーム機が複数の施設に配置され、当該複数の施設が前記複数のグループとしてそれぞれ機能する場合に、前記二以上のグループとしてそれぞれ機能する二以上の施設の施設毎に前記解禁条件が満たされるか否か判別し、
前記拡大抽選手段は、前記解禁グループとして機能する解禁施設を対象に前記拡大抽選を提供する一方で、前記拡大抽選の対象が前記二以上の施設のうち前記解禁施設に限定されるように前記解禁条件が満たされるまで前記拡大抽選の提供を施設毎に制限する、請求項１に記載のゲームシステム。
【請求項３】
前記条件判別手段は、前記二以上の施設として前記複数の施設の全施設が設定される場合に当該全施設の施設毎に前記解禁条件が満たされるか否か判別する、請求項２に記載のゲームシステム。
【請求項４】
前記拡大抽選手段は、前記拡大特典として前記基礎特典よりも価値の低い特典が付与されるように前記解禁施設に前記拡大抽選を提供する、請求項３に記載のゲームシステム。
【請求項５】
前記複数のゲーム機に前記ネットワークを介して接続されるコンピュータを、請求項１〜４のいずれか一項に記載のゲームシステムの各手段として機能させるように構成されたコンピュータプログラム。
【請求項６】
基礎特典を付与するための基礎抽選が、ゲームをそれぞれ提供する複数のゲーム機によって形成される複数のグループのグループ毎に各グループに限定されるように各グループに属するゲーム機を介して提供される場合に、前記複数のゲーム機にネットワークを介して接続されるゲームシステムに組み込まれるコンピュータに、
前記複数のグループのうちの二以上のグループを対象に拡大特典を付与するための拡大抽選を実行する条件として前記二以上のグループの少なくとも一つのグループに対応する前記基礎抽選の抽選結果が解禁条件を満たすか否か判別する条件判別手順と、
前記解禁条件が満たされる場合に当該解禁条件を満たすグループとしての解禁グループを対象に前記基礎抽選の代わりに前記拡大抽選を提供する一方で、前記拡大抽選の対象が前記二以上のグループのうち前記解禁グループに限定されるように前記解禁条件が満たされるまで前記拡大抽選の提供をグループ毎に制限する拡大抽選手順と、
を実行させる、制御方法。
【発明の詳細な説明】
【技術分野】
【０００１】
本発明は、基礎特典を付与するための基礎抽選が、ゲームをそれぞれ提供する複数のゲーム機によって形成される複数のグループのグループ毎に各グループに限定されるように各グループに属するゲーム機を介して提供される場合に、その複数のゲーム機にネットワークを介して接続されるゲームシステム等に関する。
【背景技術】
【０００２】
基礎特典を付与するための基礎抽選が、ゲームをそれぞれ提供する複数のゲーム機によって形成される複数のグループのグループ毎に各グループに限定されるように各グループに属するゲーム機を介して提供される場合に、その複数のゲーム機にネットワークを介して接続されるゲームシステムが存在する。このようなゲームシステムと同種のシステムの一つとして、各プレイヤに割り当てられたデッキに収容されているゲーム媒体の中から、所定の抽選アルゴリズムに従ってゲーム媒体を選択するサーバ装置が知られている（例えば特許文献１参照）。
【先行技術文献】
【特許文献】
【０００３】
【特許文献１】特許第５３３５９６９号公報
【発明の概要】
【発明が解決しようとする課題】
【０００４】
特許文献１のサーバ装置では、プレイヤ単位にデッキが設定され、それを対象に抽選が実行されているが、グループの概念はない。また、複数のプレイヤに跨がるようなデッキが重複的に設定される構成でも、そのようなデッキ間で抽選対象が切り替えられる構成でもない。一方で、このような抽選がイベントとして期間限定的に提供される場合等、抽選の提供に条件が生じる場合には、全プレイヤのうち一部のプレイヤのみにおいて早期に抽選が終了してしまう可能性がある。この場合、抽選可能なプレイヤと不可能なプレイヤとが生まれ、これらのプレイヤ間に不公平感が生じてしまう可能性がある。特に、ゲームのプレイ等と抽選とが関連している場合には抽選の早期終了はゲームのプレイ頻度等と関係する可能性が高く、早期に抽選が終了するプレイヤこそ優遇されるべきと考えることもできる。このような傾向は、グループ単位で抽選が実行される場合に更に強くなる可能性が高い。しかし、特許文献１のサーバ装置では、これらが考慮されていない。
【０００５】
そこで、本発明は、他のグループよりも早期に基礎抽選の抽選結果が解禁条件を満たしたグループにおけるユーザの満足度を向上させることができるゲームシステム等を提供することを目的とする。
【課題を解決するための手段】
【０００６】
本発明のゲームシステムは、基礎特典を付与するための基礎抽選が、ゲームをそれぞれ提供する複数のゲーム機によって形成される複数のグループのグループ毎に各グループに限定されるように各グループに属するゲーム機を介して提供される場合に、前記複数のゲーム機にネットワークを介して接続されるゲームシステムであって、前記複数のグループのうちの二以上のグループを対象に拡大特典を付与するための拡大抽選を実行する条件として前記二以上のグループの少なくとも一つのグループに対応する前記基礎抽選の抽選結果が解禁条件を満たすか否か判別する条件判別手段と、前記解禁条件が満たされる場合に当該解禁条件を満たすグループとしての解禁グループを対象に前記基礎抽選の代わりに前記拡大抽選を提供する一方で、前記拡大抽選の対象が前記二以上のグループのうち前記解禁グループに限定されるように前記解禁条件が満たされるまで前記拡大抽選の提供をグループ毎に制限する拡大抽選手段と、を備えるものである。
【０００７】
一方、本発明のコンピュータプログラムは、前記複数のゲーム機に前記ネットワークを介して接続されるコンピュータを、上述のゲームシステムの各手段として機能させるように構成されたものである。
【０００８】
また、本発明の制御方法は、基礎特典を付与するための基礎抽選が、ゲームをそれぞれ提供する複数のゲーム機によって形成される複数のグループのグループ毎に各グループに限定されるように各グループに属するゲーム機を介して提供される場合に、前記複数のゲーム機にネットワークを介して接続されるゲームシステムに組み込まれるコンピュータに、前記複数のグループのうちの二以上のグループを対象に拡大特典を付与するための拡大抽選を実行する条件として前記二以上のグループの少なくとも一つのグループに対応する前記基礎抽選の抽選結果が解禁条件を満たすか否か判別する条件判別手順と、前記解禁条件が満たされる場合に当該解禁条件を満たすグループとしての解禁グループを対象に前記基礎抽選の代わりに前記拡大抽選を提供する一方で、前記拡大抽選の対象が前記二以上のグループのうち前記解禁グループに限定されるように前記解禁条件が満たされるまで前記拡大抽選の提供をグループ毎に制限する拡大抽選手順と、を実行させるものである。
【図面の簡単な説明】
【０００９】
【図１】本発明の一形態に係るゲームシステムの概略構成を示す図。
【図２】ゲームシステムの制御系の要部を示す機能ブロック図。
【図３】店舗抽選サービス、及び全国抽選サービスの概要を説明するための説明図。
【図４】店舗抽選サービスと全国抽選サービスとの間の関係を説明するための説明図。
【図５】抽選画面の一例を模式的に示す図。
【図６】店舗抽選データの構成の一例を示す図。
【図７】全国抽選データの構成の一例を示す図。
【図８】抽選切替処理の手順の一例を示すフローチャート。
【図９】店舗抽選処理の手順の一例を示すフローチャート。
【図１０】全国抽選処理の手順の一例を示すフローチャート。
【発明を実施するための形態】
【００１０】
以下、本発明の一形態に係るゲームシステムの一例を説明する。まず、図１を参照して、本発明の一形態に係るゲームシステムの全体構成を説明する。ゲームシステム１は、センターサーバ２と、センターサーバ２に所定のネットワーク５を介して接続可能なクライアント装置としての複数のゲーム機３とを含む。センターサーバ２は、複数のコンピュータ装置としてのサーバユニット２Ａ、２Ｂ…が組み合わされることにより一台の論理的なサーバ装置として構成されている。ただし、単一のサーバユニットによりセンターサーバ２が構成されてもよい。あるいは、クラウドコンピューティングを利用して論理的にセンターサーバ２が構成されてもよい。
【００１１】
ゲーム機３として、後述のユーザ端末装置４等のゲームを提供する適宜のコンピュータ装置が利用されてよいが、図１の例では商業用（業務用）のゲーム機が利用されている。商業用のゲーム機は、ゲーム装置の一例であって、所定のプレイ料金の支払いと引き換えに、そのプレイ料金に対応した範囲でユーザにゲームをプレイさせるゲーム機である。この種のゲーム機３は、アーケードゲーム機と呼ばれることがあり、多数のユーザにゲームを繰り返しプレイさせて収益を上げることを主たる目的として店舗６等の所定の施設に設置される。
【００１２】
ゲーム機３は、アクションゲーム、ロールプレイングゲーム、シューティングゲーム、或いはタイミングゲーム等の適宜のゲームを提供してよいが、一例としてシミュレーションゲームを提供する。また、ゲーム機３は、適宜にシミュレーションゲームを提供してよいが、一例としてカードゲーム形式でシュミレーションゲームを提供する。このため、ゲーム機３は、各種のカードをプレイに使用するカードゲーム機として構成される。また、ゲーム機３は、適宜のシュミレーションゲームを提供してよいが、各選手への指示や育成等を通じて監督としての役割をシミュレーションする野球ゲームを提供する。具体的には、この野球ゲームは、各選手に対応するカード（以下、選手カード）を利用し、各選手カードに対応する選手をゲーム中に再現しつつ、育成するゲームとして構成される。
【００１３】
ゲームシステム１には、ネットワーク５を介してユーザ端末装置４が接続される場合もある。ユーザ端末装置４は、ネットワーク接続が可能でかつユーザの個人用途に供されるコンピュータ装置である。例えば、据置型又はブック型のパーソナルコンピュータ（以下、ＰＣと表記する。）４ａ、あるいは携帯電話（スマートフォンを含む。）のようなモバイル端末装置４ｂがユーザ端末装置４として利用される。その他にも、据置型の家庭用ゲーム機、携帯型ゲーム機、携帯型タブレット端末装置といった、ネットワーク接続が可能でかつユーザの個人用途に供される各種のコンピュータ装置がユーザ端末装置４として利用されてよい。ユーザ端末装置４は、各種のコンピュータソフトウエアを実装することにより、センターサーバ２が提供する種々のサービスをユーザに享受させることが可能である。
【００１４】
ネットワーク５は、センターサーバ２に対してゲーム機３及びユーザ端末装置４をそれぞれ接続させることができる限り、適宜に構成されてよい。一例として、ネットワーク５は、ＴＣＰ／ＩＰプロトコルを利用してネットワーク通信を実現するように構成される。典型的には、ＷＡＮとしてのインターネット５Ａと、センターサーバ２及びゲーム機３のそれぞれとインターネット５Ａとを接続するＬＡＮ５Ｂ、５Ｃとがルータ５Ｄを介して接続されることにより構築される。ユーザ端末装置４も適宜の構成によりインターネット５Ａに接続される。なお、ゲーム機３と店舗６のルータ５Ｄとの間にローカルサーバが設置され、そのローカルサーバを介してゲーム機３がセンターサーバ２と通信可能に接続されてもよい。センターサーバ２のサーバユニット２Ａ、２Ｂ…はＬＡＮ５Ｃに代えて、又は加えてＷＡＮ５Ａにより、相互に接続される場合もある。
【００１５】
センターサーバ２は、ゲーム機３又はそのユーザに対して各種のゲーム機用サービスを提供する。ゲーム機用サービスは、ネットワーク５を介してゲーム機３のプログラム或いはデータを配信し、更新する配信サービスを含んでいる。センターサーバ２は、このような配信サービスを通じて各ゲーム機３に野球ゲームの提供に必要な各種のプログラム或いはデータを適宜に配信等する。また、ゲーム機用サービスには、店舗抽選サービス、及び全国抽選サービスが含まれる。店舗抽選サービスは、店舗６毎に用意された景品群の各景品を抽選により各ユーザに付与するイベント（以下、店舗抽選イベントと呼ぶ場合がある）を実現するためのサービスである。つまり、店舗抽選サービスは、店舗６の単位で景品群を用意し、抽選を通じてその景品群を店舗６の単位のユーザで分け合うためのサービスである。一方、全国抽選サービスは、全国（全店舗６）を対象に用意された景品群の各景品を抽選により各ユーザに付与するイベント（以下、全国抽選イベントと呼ぶ場合がある）を実現するためのサービスである。つまり、全国抽選サービスは、全国（全店舗６）の単位で景品群を用意し、抽選を通じてその景品群を全国（全店舗６）のユーザで分け合うためのサービスである。また、全国抽選サービスは、店舗抽選サービスを補助するサービスとして提供される。店舗抽選サービス、及び全国抽選サービスの詳細は後述する。
【００１６】
なお、ゲーム機用サービスは、その他にもゲーム機３からユーザの識別情報を受け取って、そのユーザを認証するサービスを含んでいてよい。また、認証したユーザのプレイデータをゲーム機３から受け取って保存し、或いは保存するプレイデータをゲーム機３に提供するサービスを含んでいてもよい。さらに、ゲーム機用サービスは、ネットワーク５を介して複数のユーザが共通のゲームをプレイする際にユーザ同士をマッチングするマッチングサービス、或いはユーザから料金を徴収する課金サービス等を含んでいてもよい。同様に、センターサーバ２は、ネットワーク５を介してユーザ端末装置４のユーザに各種のＷｅｂサービスを提供してよい。Ｗｅｂサービスは、ゲーム機３が提供するゲームに関する各種の情報を提供するゲーム用情報サービス、各ユーザ端末装置４に各種データ或いはソフトウエアを配信（データ等のアップデートを含む）する配信サービス、ユーザによる情報発信、交換、共有といった交流の場を提供するコミュニティサービス、及び各ユーザを識別するためのユーザＩＤを付与するサービス等のサービスを含んでよい。
【００１７】
次に、図２を参照してゲームシステム１の制御系の要部を説明する。まず、センターサーバ２には、制御ユニット２１、及び記憶手段としての記憶部２３が設けられる。制御ユニット２１は、所定のコンピュータプログラムに従って各種の演算処理及び動作制御を実行するプロセッサの一例としてのＣＰＵと、その動作に必要な内部メモリその他の周辺装置とを組み合わせたコンピュータとして構成されている。
【００１８】
記憶部２３は、ハードディスクアレイ等の不揮発性記憶媒体（コンピュータ読み取り可能な記憶媒体）を含んだ記憶ユニットによって実現される外部記憶装置である。記憶部２３は、一の記憶ユニット上に全てのデータを保持するように構成されてもよいし、複数の記憶ユニットにデータを分散して記憶するように構成されてもよい。記憶部２３には、ユーザに野球ゲームを含む各種のサービスを提供するために必要な各種の処理を制御ユニット２１に実行させるコンピュータプログラムの一例として、プログラムＰＧ１が記録される。また、記憶部２３には各種のサービスの提供に必要なサーバ用データＳＤも記録される。サーバ用データＳＤは、野球ゲーム用の各種のデータを含み得るが、このようなデータとして図２の例では店舗抽選データ２５及び全国抽選データ２６が示されている。
【００１９】
店舗抽選データ２５は、上述の店舗抽選イベントを実現するためのデータである。具体的には、店舗抽選データ２５は店舗６毎の景品群の管理に使用される。一方、全国抽選データ２６は、上述の全国抽選イベントを実現するためのデータである。具体的には、全国抽選データ２６は、全国（全店舗６）を対象に設定される景品群の管理に使用される。店舗抽選データ２５及び全国抽選データ２６の詳細は更に後述する。なお、サーバ用データＳＤは、例えばその他にもユーザＩＤ等の各種ＩＤを管理するＩＤデータ、過去のプレイ実績を次回以降に引き継ぐためのプレイデータ、或いは野球ゲームに登場する各選手（キャラクタ）のパラメータを管理するためのパラメータデータ等を野球ゲーム用のデータとして適宜に含んでいてよい。
【００２０】
制御ユニット２１には、制御ユニット２１のハードウエア資源とソフトウエア資源としてのプログラムＰＧ１との組合せによって実現される論理的装置として、サービス提供部２４が設けられる。サービス提供部２４は、ゲーム機３に対して上述のゲーム機用サービスを実現するための各種処理を実行する。このような処理には、店舗抽選サービスを実現するための処理、及び全国抽選サービスを実現するための処理が含まれる。例えば、サービス提供部２４は、店舗抽選サービスを実現するための処理として店舗抽選処理を、全国抽選サービスを実現するための処理として全国抽選処理を、それぞれ実行する。店舗抽選処理、及び全国抽選処理の手順の詳細は後述する。なお、制御ユニット２１には、キーボード等の入力装置、モニタ等の出力装置等が必要に応じて接続され得る。しかし、それらの図示は省略した。
【００２１】
一方、ゲーム機３には、コンピュータとしての制御ユニット３１と、記憶手段としての記憶部３２とが設けられる。制御ユニット３１は、所定のコンピュータプログラムに従って各種の演算処理及び動作制御を実行するプロセッサの一例としてのＣＰＵと、その動作に必要な内部メモリその他の周辺装置とを組み合わせたコンピュータとして構成されている。制御ユニット３１には、制御ユニット３１のハードウエア資源とソフトウエア資源としてのプログラムＰＧ２との組合せによって実現される論理的装置として、ゲーム提供部３３が設けられる。ゲーム提供部３３は、ゲームの進行に必要な各種の処理、或いはゲーム機用サービスの享受に必要な各種の処理（ゲームの進行に必要な処理を含む）を実行する。このような処理には、店舗抽選サービス、及び全国抽選サービスを享受するための処理が含まれる。具体的には、ゲーム提供部３３は、店舗抽選サービスを享受するための処理として店舗抽選処理を、全国抽選サービスを享受するための処理として全国抽選処理を、それぞれ実行する。これらの処理は、センターサーバ２のサービス提供部２４との協働により実現される。また、ゲーム提供部３３は、店舗抽選サービス、及び全国抽選サービスの両方を実現するための処理として抽選切替処理を実行する。抽選切替処理の手順の詳細は、店舗抽選処理、及び全国抽選処理の手順とともに後述する。
【００２２】
記憶部３２は、ハードディスク、半導体記憶装置といった不揮発性記憶媒体（コンピュータ読み取り可能な記憶媒体）を含んだ記憶ユニットによって実現される外部記憶装置である。記憶部３２には、上述したプログラムＰＧ２とともに、各種のデータが記録されるが、図２の例ではゲームデータＧＤが示されている。ゲームデータＧＤは、プログラムＰＧ２に従ってユーザに所定の野球ゲームをプレイさせるためデータである。ゲームデータＧＤは、野球ゲーム用の各種のデータを適宜に含んでいてよいが、図２の例では店舗抽選データ２５、及び全国抽選データ２６が示されている。店舗抽選データ２５、及び全国抽選データ２６は、必要な部分を含むように配信サービスを通じてセンターサーバ２から提供される。なお、ゲームデータＧＤは、例えばその他にも野球ゲーム用の各種の画像を表示するための画像データ、各種のＢＧＭを再生するためのＢＧＭデータ、上述のＩＤデータ、パラメータデータ、或いはプレイデータ等の各種のデータを野球ゲーム用のデータとして適宜に含んでいてよい。
【００２３】
また、ゲーム機３には、アーケードゲーム機に必要な各種の出力装置、及び入力装置が適宜に設けられ、制御ユニット３１に接続され得るが、このような出力装置として図２の例ではモニタＭＯ、及びプリンタ３８が設けられている。モニタ１１は、野球ゲームを提供するためのゲーム画面を表示する周知の表示装置である。プリンタ３８は、制御ユニット３１からの出力信号に基づいて、画像、各種コード等の記号、或いは文字等を印刷するための周知の出力装置である。ゲーム機３は、このようなプリンタ３８を介して印刷によりカード３９を生成（排出）するように構成されている。
【００２４】
一方、ゲーム機３には、上述のような入力装置の一例として、図２の例ではリーダ３６、及びタッチパネルＴＰが設けられている。リーダ３６は、ユーザが所持するカード３９から情報を取得するための周知の装置である。リーダ３６として、ＩＣチップ等の電子的記録媒体に記録された情報を各種の近距離無線通信規格を通じて受信するための受信機等の各種の装置がカード３９への情報の記録方法に応じて適宜に利用されてよいが、一例としてカメラが利用される。カメラは、所定の規則に従って生成されたコード（パターン）を介して各種の情報がカード３９に記録されている場合に、そのようなコードを介して（それを読み取ることにより）そのコードに含まれる情報を取得するリーダ３６である。例えば、カード３９として選手カードがリーダ３６を介して読み取られる場合、そのようなカード３９には各選手を定義するパラメータを特定するための各種の情報が記録される。このような情報として、カード３９にはパラメータの情報自体、或いはそのようなパラメータを特定するための各種の間接的情報等の適宜の情報が記録され得るが、一例としてカード３９毎にユニークなカードＩＤの情報（間接的情報の一例）が記録される。そして、各選手のパラメータは、カードＩＤ毎に各選手のパラメータを管理するパラメータデータによって特定される。カード３９がユーザＩＤの情報を記録するＩＤカード等の場合も同様である。リーダ３６（カメラ）は、このような情報の取得（読み取り）に使用される。
【００２５】
次に、図３及び図４を参照して、店舗抽選サービス、及び全国抽選サービスの詳細について説明する。図３は、店舗抽選サービス、及び全国抽選サービスの概要を説明するための説明図である。上述のように、店舗抽選サービスは店舗抽選イベントを、全国抽選サービスは全国抽選イベントを、それぞれ実現するためのサービスである。図３に示すように、店舗抽選イベント及び全国抽選サービスはいずれも景品群ＧＧから景品Ｇを抽選するためのイベントであるが、店舗抽選イベントには店舗抽選用の景品群ＧＧとして店舗景品群ＧＧ１が、全国抽選サービスには全国抽選用の景品群ＧＧとして全国景品群ＧＧ２が、それぞれ別々に用意される。なお、図３及び図４のそれぞれにおいて景品群ＧＧの抽選が提供されていないイベント（抽選開始前、或いは終了後のイベント）、及びそのような景品群ＧＧと各店舗６との関連設定はグレーにて示されている。
【００２６】
具体的には、店舗景品群ＧＧ１は店舗６（店舗６に設置されるゲーム機３を一つのグループとするグループ）毎に用意され、店舗６毎に設定される景品群ＧＧである。店舗イベントでは、このような店舗景品群ＧＧ１を対象に各店舗６の単位で抽選が実行される。このような店舗イベントは、店舗６毎に別々の時期、所定数の店舗６毎に別々の時期等の適宜の時期に開催されてよいが、一例として全店舗６において同時に開催される。一方、全国景品群ＧＧ２は全店舗６（全国）を対象に用意され、全店舗６（全ゲーム機３）に共通に設定される景品群ＧＧである。全国抽選イベントでは、このような全国景品群ＧＧ２を対象に全店舗６に共通の抽選が実行される。店舗景品群ＧＧ１、及び全国景品群ＧＧ２として、互いに別々の景品Ｇが利用されてもよいが、一例として互いの同じ景品Ｇが利用される。ただし、全国抽選イベントは、店舗抽選イベントを補助するイベントとして、店舗抽選イベントにおいて解禁条件が満たされる場合にのみ解禁（開放）されるイベントである。つまり、全国抽選イベントにおける全国抽選（全国景品群ＧＧ２を対象にする抽選）を提供する条件として解禁条件が利用され、全国抽選は店舗抽選イベントにおいて解禁条件が満たされるまで制限される。
【００２７】
解禁条件は、複数の店舗６を含むグループ（全店舗６の場合を含む）毎等の適宜の単位において満たされてよいが、一例として店舗６毎に満たされる。また、このような解禁条件は、店舗景品群ＧＧ１において特定の景品Ｇ（一つの景品Ｇだけでなく、種類の単位であってよく、特定の種類の景品Ｇを含む）がなくなった場合（あるいは単に特定の景品Ｇが当選された場合でもよい）、景品Ｇ（特定の景品Ｇ等の一部の景品Ｇ、及び全景品Ｇの両方を含む）の当選率が所定値未満となった場合等の店舗景品群ＧＧ１の景品Ｇに関連する適宜の場合に満たされてよいが、一例として店舗景品群ＧＧ１の景品Ｇが全てなくなった場合に満たされる。つまり、全国景品群ＧＧ２を対象にする抽選（全国抽選イベントの実際の開催）は、店舗景品群ＧＧ１の景品Ｇが全てなくなった店舗６毎にその店舗６に限定して実行される。
【００２８】
具体的には、店舗景品群ＧＧ１、及び全国景品群ＧＧ２は、適宜の種類の景品Ｇを含んでいてよいが、図３の例ではいずれも互いに価値の相違する２種類の景品Ｇによって構成される。このような各景品Ｇは、物理的な景品であってもよいし、電子的な景品であってもよいが、一例として特別な選手に対応する選手カード（図３の例では説明の便宜のために白及び黒のいずれも球体として示されている）が利用される。特別な選手として、通常のゲームのプレイでは付与されない、或いは使用できない選手等の適宜の選手が機能してよく、そこには通常のプレイで使用できる選手であって画像等の表示を含む各種パラメータが相違する選手が含まれてもよい。このような特別な選手カードは、カード３９（物理的な景品）として付与されてもよいが、カード３９化する（その選手カードに対応するカード３９を印刷する）権利、或いはゲームで使用する権利等としてプレイデータを介して電子的に付与される。同様に、店舗景品群ＧＧ１、及び全国景品群ＧＧ２は、互いに同じ数、或いは互いに別の数（店舗景品群ＧＧ１の方が全国景品群ＧＧ２より多い場合を含む）等の適宜の数によって構成されてよいが、一例として全国景品群ＧＧ２の方が店舗景品群ＧＧ１よりも多く用意される。
【００２９】
また、これらの店舗抽選イベント及び全国抽選イベントはいずれもイベントとして所定期間に限定されて開催されるが、そのような所定期間はその長さも含め、互いに別々の期間、或いは同じ期間等の適宜の期間であってよい。つまり、店舗抽選イベント及び全国抽選イベントは、互いに別々の期間に開催される別々の長さのイベントであってもよいし、一部期間が重複する別々の長さのイベントであってもよいが、一例として同時に開催される同じ長さのイベントとして構成される（全国抽選イベントの開催期間は、解禁条件の具備に伴い抽選が開始される実際の抽選期間ではなく、解禁条件の具備に伴い抽選が開始され得る期間を意味する）。このため、全国抽選イベントは、店舗抽選イベントの開催期間中に店舗景品群ＧＧ１の在庫（景品）がなくなった店舗６において他の店舗６で継続される店舗抽選イベントを補助するように実行される。この例において店舗景品群ＧＧ１の各景品Ｇ、及び全国景品群ＧＧ２の各景品Ｇが、本発明の基礎特典、及び拡大特典としてそれぞれ機能する。また、店舗抽選イベントの店舗抽選、及び全国抽選イベントの全国抽選が、本発明の基礎抽選、及び拡大抽選としてそれぞれ機能する。
【００３０】
図４は、店舗抽選サービスと全国抽選サービスとの間の関係を説明するための説明図である。図４の例は、図３の例において一部の店舗６において全国抽選イベントの抽選が実行される場合、つまり解禁条件が満たされた場合を示している。より具体的には、図３の例において左端の店舗６が解禁条件を満たした場合を示している。この場合、図４に示すように、その解禁条件を満たした左端の店舗６（一部の店舗６）に全国景品群ＧＧ２を抽選対象とする抽選が提供される。つまり、その左端の店舗６を対象に全国抽選イベントが実際に開催される。一方、解禁条件の具備は、その左端の店舗６に対応する店舗景品群ＧＧ１は在庫がなくなったことを意味するため、その店舗景品群ＧＧ１対象とする抽選は終了する。つまり、そのような店舗景品群ＧＧ１を対照する抽選（店舗抽選）が左端の店舗６では終了し、その店舗抽選の代わりに全国景品群ＧＧ２を対象とする抽選（全国抽選）が開始され、提供される。換言すれば、左端の店舗６において店舗抽選イベントが終了し、全国抽選イベントが実際に開催される。このため、図３の例と比べて、図４の例では、全国抽選イベント、及び左端の店舗６と全国景品群ＧＧ２との関連設定が、いずれもグレーから黒に変化している。同様に、左端の店舗６に対応する店舗景品群ＧＧ１の景品Ｇがなくなり、その店舗景品群ＧＧ１の配色も黒からグレーに変化している。一方、左端の店舗６とその店舗６の店舗景品群ＧＧ１との関連設定は黒からグレーに変化している。
【００３１】
一方、解禁条件が満たされない限り、店舗景品群ＧＧ１を対象とする抽選が継続される。つまり、解禁条件が満たされるまで全国景品群ＧＧ２を対象とする抽選の提供（全国抽選イベントの実際の開催）は制限され、店舗抽選イベントが継続される。このため、左端の店舗６以外の店舗６では引き続き店舗景品群ＧＧ１を対象に抽選が実行され、図４の例でも各景品群ＧＧと各店舗６との関連設定が図３の例と同様の配色で示されている。結果として、全国において、互いに別々の抽選を行う全国抽選イベント中の店舗６（左端の店舗６）と店舗抽選イベント中の店舗６とが共存している。一例として、店舗抽選サービスと全国抽選サービスとの間には、このような補助関係が設定される。この例において各店舗６、全店舗６、及び左端の店舗６が、本発明の各グループ（施設）、二以上のグループ（施設）、及び一つのグループ（解禁グループ、或いは解禁施設）としてそれぞれ機能する。
【００３２】
次に、図５を参照して、店舗抽選イベントを実現するためのゲーム画面としてゲーム機３のモニタＭＯに表示される抽選画面について説明する。図５は、抽選画面の一例を模式的に示す図である。図５に示すように、抽選画面５０は、指示入力領域５１、景品提示領域５２、及び参考情報領域５３を含んでいる。指示入力領域５１は、店舗抽選（店舗景品群ＧＧ１を対象とした抽選）の実行を指示する操作を入力するための領域である。指示入力領域５１には、抽選の指示に関連する適宜の選択肢、或いは各種の情報が表示されてよいが、図５の例では実行選択肢５１Ａ、及び中止選択肢５１Ｂが表示されている。実行選択肢５１Ａ、及び中止選択肢５１Ｂは、いずれもユーザのタッチ操作が実行されるべき範囲を示している。具体的には、実行選択肢５１Ａ、及び中止選択肢５１Ｂは、抽選の実行が指示される場合、或いは抽選の中止が指示される場合に、それぞれ選択（タッチ操作）される選択肢（範囲）である。つまり、実行選択肢５１Ａの選択（そこへのタッチ操作）に伴い実際に店舗抽選が、中止選択肢５１Ｂの選択に伴い抽選の中止が、それぞれ実行される。実行選択肢５１Ａ、及び中止選択肢５１Ｂにも適宜の情報が表示されてよいが、一例として抽選実行を意図する“チャレンジする”、及び抽選中止を意図する“しない”の情報が表示されている。
【００３３】
景品提示領域５２は、店舗抽選によって獲得され得る景品Ｇに関する情報を表示するための領域である。景品提示領域５２には、景品Ｇに関する適宜の情報が表示されてよいが、図５の例では抽選の種類を示す抽選情報（“店舗チャレンジ”）、及びカード画像５４が表示されている。抽選情報は、店舗抽選イベント、或いは全国抽選イベントといたイベントの種類、或いは対象の景品群ＧＧといった抽選対象を示す情報である。一方、カード画像５４は、各種選手カードを示す画像である。カード画像５４には、各選手のパラメータ等の適宜の情報が表示され得るが、一例として選手画像５４Ａが表示される。また、このようなカード画像５４として、各景品Ｇに対応する選手カードの画像のみが表示されてもよいが、一例としてそのような選手カード（景品Ｇ）と、そのカードと同様の選手に対応する通常の選手カードとにそれぞれ対応する二つのカード画像５４が景品Ｇ毎に表示される。つまり、景品提示領域５２には、景品Ｇと通常の選手カードとが対比され、その価値が把握されやすいように、景品Ｇに対応するカード画像５４及びそれと同様の選手の選手カード（通常の選手カード）に対応するカード画像５４の両方が景品Ｇ毎に表示される。
【００３４】
参考情報領域５３は、店舗抽選イベントに関連する各種の参考情報を表示するための領域である。このような参考情報として、店舗景品群ＧＧ１の残数（景品Ｇの種類毎でも、合計数でもよい）等の店舗抽選イベントに関連する適宜の情報が表示されてよいが、図５の例では全国景品群ＧＧ２の残数の情報が表示されている。具体的には、参考情報領域５３は、通常景品欄５３Ａ、及び特別景品欄５３Ｂを含んでいる。通常景品欄５３Ａは、全国景品群ＧＧ２に含まれる２種類の景品Ｇのうち、比較的価値の低い方の景品Ｇ（以下、通常景品Ｇと呼ぶ場合がある）の残数に関する情報を表示するための領域である。一方、特別景品欄５３Ｂは、全国景品群ＧＧ２に含まれる２種類の景品Ｇのうち、通常景品Ｇよりも価値の高い景品Ｇ（以下、特別景品Ｇと呼ぶ場合がある）の残数に関する情報を表示するための領域である。通常景品欄５３Ａ、及び特別景品欄５３Ｂには、残率等の適宜の手法により残数に関する各種の情報が提示されてよいが、一例として残数を示す数字“１１１１”がいずれにも表示されている。つまり、全国抽選イベント（全国景品群ＧＧ２）において、通常景品Ｇ、及び特別景品Ｇの両方が同数残っている情報が参考情報として表示されている。このような抽選画面５０を通じて店舗抽選は実現されるが、全国抽選も同様の抽選画面５０を通じて実現されてよい。この場合において、抽選対象の相違（店舗抽選用の抽選画面５０か、全国抽選用の抽選画面５０か）は、抽選情報（例えば全国抽選の場合は“全国チャレンジ”等）を通じて提示されてよい。
【００３５】
次に、店舗抽選データ２５、及び全国抽選データ２６の詳細について説明する。図６は、店舗抽選データ２５の構成の一例を示す図である。図６に示すように、店舗抽選データ２５は、店舗景品群ＧＧ１の残数を店舗６毎に管理するための店舗抽選レコード２５Ｒを含んでいる。また、店舗抽選レコード２５Ｒは、このような管理を実現するために、“店舗ＩＤ”、“ゲーム機数”、“抽選数”、“特別景品数”、及び“通常景品数”の情報を含んでいる。
【００３６】
“店舗ＩＤ”は、各店舗６を識別するために店舗６毎にユニークな店舗ＩＤを示す情報である。“ゲーム機数”は、各店舗６に設置されるゲーム機３の数を示す情報である。“抽選数”は、店舗イベントとして各ユーザに付与されるべき店舗抽選の機会数の残数を示す情報である。店舗抽選は、期間中において無制限に提供されてもよいが、一例として所定数に制限される。このような所定数が機会数であり、当選数（特別景品Ｇ及び通常景品Ｇの合計）、及び外れ数の合計によって設定される。そして、そのような機会数の残数の情報が“抽選数”に記述される。“特別景品数”、及び“通常景品数”は、それぞれ特別景品Ｇ及び通常景品Ｇの残数を示す情報である。これらの特別景品Ｇの数、通常景品Ｇの数、及び店舗抽選の機会数（いずれも分母数、つまり当初の残数）は、ゲーム機３を利用するユーザ数、或いは来店数等の各種の条件に応じて適宜に設定されてよいが、一例として各店舗６のゲーム機３の数に応じて設定される。店舗抽選レコード２５Ｒには、これらの情報が相互に関連付けられるように記録されている。
【００３７】
図７は、全国抽選データ２６の構成の一例を示す図である。図７に示すように、全国抽選データ２６は、全国景品群ＧＧ２の残数を管理するための全国抽選レコード２６Ｒを含んでいる。また、全国抽選レコード２６Ｒは、このような管理を実現するために、“抽選数”、“特別景品数”、“通常景品数”、及び“解禁店舗”の情報を含んでいる。“抽選数”、“特別景品数”、“通常景品数”は、店舗抽選データ２５の“抽選数”、“特別景品数”、及び“通常景品数”と同様の情報である。具体的には、“抽選数”、“特別景品数”、“通常景品数”は、全国抽選における抽選の機会数の残数、特別景品Ｇの残数、及び通常景品Ｇの残数をそれぞれ示す情報である。これらの店舗抽選の機会数等の数（分母数）は、店舗抽選データ２５と同様に適宜に設定されてよいが、一例として全国抽選イベントの対象のゲーム機３の数（全店舗６に設置されるゲーム機３の数の合計）に応じて設定される。
【００３８】
一方、“解禁店舗”は、解禁条件を満たした店舗６、つまり全国抽選（全国景品群ＧＧ２を対象とした抽選）の対象の店舗６（以下、解禁店舗６と呼ぶ場合がある）を示す情報である。“解禁店舗”には、適宜の情報で解禁店舗６の情報が記述されてよいが、一例として解禁店舗６に対応する店舗ＩＤの情報が記述される。全国抽選レコード２６Ｒには、これらの情報が相互に関連付けられるように記録されている。なお、店舗抽選データ２５、及び全国抽選データ２６は、これらに限定されず、店舗抽選イベントの特性等、或いは全国抽選イベントの特性等の各種の条件に応じて適宜の情報を含んでいてよい。例えば、店舗抽選データ２５、及び全国抽選データ２６は、機会数、特別景品Ｇ、及び通常景品Ｇの分母数（当初に用意された機会数等の数）の情報を含んでいてもよい。また、例えば、複数の店舗抽選イベント、或いは全国抽選イベントが開催される場合には、各抽選を識別するための抽選ＩＤの情報が含まれていてもよい。あるいは、これらの情報は適宜に省略されてもよい。
【００３９】
次に、図８〜図１０を参照して、抽選切替処理、店舗抽選処理、及び全国抽選処理の手順の詳細について説明する。抽選切替処理は、店舗抽選から全国抽選への切替を実現するための処理である。店舗抽選は、ゲームとは別に提供される等、適宜に提供されてよいが、一例としてゲームの一部としてゲームの終了時に店舗抽選を希望するか否かの選択機会が付与される。この場合、ゲーム提供部３３は、このような選択機会において店舗抽選が希望された場合に図８の抽選切替処理を開始し、まず店舗抽選データ２５を取得する（ステップＳ１０１）。
【００４０】
続いてゲーム提供部３３は、ステップＳ１０１で取得した店舗抽選データ２５を参照しつつ、解禁条件が満たされるか否か判別する（ステップＳ１０２）。具体的には、ゲーム提供部３３は、まず店舗抽選データ２５の“特別景品数”及び“通常景品数”（店舗抽選の抽選結果の実績）の情報を参照し、店舗景品群ＧＧ１に特別景品Ｇ或いは通常景品Ｇ（景品Ｇの当選）が残っているか否か判別する。このような当選が残っている場合、ゲーム提供部３３は、店舗抽選の当選実績（抽選結果の累積）が解禁条件を満たさないと判別する。この場合、ゲーム提供部３３は、店舗抽選用の抽選画面５０をモニタＭＯに表示する（ステップＳ１０３）。
【００４１】
一方、ゲーム提供部３３は、店舗景品群ＧＧ１に当選が残っていない場合、ステップＳ１０２において店舗抽選の当選実績（抽選結果の累積）が解禁条件を満たすと判別する。この場合、ゲーム提供部３３は、店舗抽選用の抽選画面５０の代わりに、全国抽選用の抽選画面５０をモニタＭＯに表示する（ステップＳ１０４）。そして、ステップＳ１０３、或いはステップＳ１０４において抽選画面５０を提示した後に、ゲーム提供部３３は今回の抽選切替処理を終了する。これにより、解禁条件が満たされる場合には全国抽選用の抽選画面５０が、解禁条件が満たされない場合には店舗抽選用の抽選画面５０が、それぞれ提示される。つまり、解禁条件に応じて抽選画面５０が店舗抽選用のものと、全国抽選用のものとの間で切り替えられる。より具体的には、各店舗６用に用意された店舗景品群ＧＧ１が残っている間は店舗抽選用の抽選画面５０が提示され、その抽選画面５０を通じて店舗抽選が実行される。換言すれば、店舗景品群ＧＧ１がなくなるまでは全国抽選用の抽選画面５０は提示されず、全国抽選の提供も店舗６毎に制限される。一方、店舗景品群ＧＧ１がなくなった場合には、全国抽選用の抽選画面５０が提示され、その抽選画面５０を通じて全国抽選が実行される。つまり、全国抽選の制限が解禁され、店舗抽選の代わりに全国抽選が提供される。結果として、実行不可の店舗抽選が全国抽選によって補助される。
【００４２】
店舗抽選処理は、店舗抽選を実現するための処理である。店舗抽選は、店舗６に設置されたローカルサーバ等を通じて適宜に実現されてもよいが、図９の例はセンターサーバ２を通じて実現される場合の店舗抽選処理を示している。また、抽選結果に伴う店舗抽選データ２５等のデータの更新は、センターサーバ２等の適宜の装置を通じて実行されてよいが、図９の例はゲーム機３で実行される場合の店舗抽選処理を示している。なお、このような店舗抽選処理は、上述のとおりサービス提供部２４、及びゲーム提供部３３を介して、センターサーバ２とゲーム機３との協働によって実現されるが、図９及び図１０の例ではゲーム提供部３３（ゲーム機３の制御ユニット３１）によって主として実行される処理がゲーム機３として、サービス提供部２４（センターサーバ２の制御ユニット２１）によって主として実行される処理がセンターサーバ２として、それぞれ示されている。
【００４３】
ゲーム機３は、店舗用の抽選画面５０において実行選択肢５１Ａが選択される（店舗抽選の実行が指示される）と図９の店舗抽選処理を開始し、まず店舗抽選をセンターサーバ２に要求する（ステップＳ２０１）。一方、センターサーバ２は、ゲーム機３から店舗抽選が要求されると図９の店舗抽選処理を開始、まず店舗抽選を実行する（ステップＳ３０１）。このような抽選は、乱数等を通じて適宜に実現されてよい。そして、センターサーバ２は、その抽選結果をゲーム機３に送信する（ステップＳ３０２）。
【００４４】
センターサーバ２から抽選結果を取得すると、ゲーム機３はその取得した抽選結果を抽選画面等の適宜のゲーム画面を通じてユーザに提示する（ステップＳ２０２）。また、ゲーム機３は、そのような抽選結果を反映するために適宜のデータを更新する（ステップＳ２０３）。例えば、このようなデータには店舗抽選データ２５、及びプレイデータが含まれる。具体的には、ゲーム機３は、今回の抽選回数分（図５の抽選画面５０では一回ずつ抽選が実行されているが、一度に適宜の数の抽選が実行されてよい）だけ抽選機会の残数が減少するように店舗抽選データ２５の“抽選数”の情報を更新する。また、ゲーム機３は、抽選結果が当選を示す（特別景品Ｇ、或いは通常景品Ｇが当選している）場合、当選結果に応じて当選数分だけ残数が減少するように店舗抽選データ２５の“特別景品数”、或いは“通常景品数”の情報を更新する。さらに、このような場合、ゲーム機３は、その当選結果に対応する景品Ｇを実際に付与する。つまり、ゲーム機３は、そのような付与が実現されるように（そのような景品Ｇとそれが付与されるユーザのユーザＩＤとが関連づけられ、その景品Ｇの所有を示すように）付与対象のユーザのプレイデータを更新する。
【００４５】
続いてゲーム機３は、ステップＳ２０３で更新したデータをセンターサーバ２に送信して、今回の店舗抽選処理を終了する。一方、センターサーバ２は、ゲーム機３から更新後のデータを取得すると、そのデータに対応する記憶部２３のデータを更新する（ステップＳ３０３）。具体的には、店舗抽選データ２５が更新されている（更新後の店舗抽選データ２５が送信されている）場合、センターサーバ２は記憶部２３の店舗抽選データ２５（店舗抽選を実施した店舗６に対応する店舗抽選レコード２５Ｒ）を更新する。同様に、プレイデータが更新されている（景品Ｇが付与され、更新後のプレイデータが送信されている）場合、センターサーバ２は記憶部２３のプレイデータを更新する。また、全国抽選データ２６の“解禁店舗”の情報は、全国抽選用の抽選画面５０の提供時、全国抽選の初回実行時等の適宜の時期に更新されてよいが、一例としてステップＳ３０３の処理において更新されてもよい。この場合、センターサーバ２は、ステップＳ３０３の処理において、更新後の店舗抽選データ２５の“特別景品数”及び“通常景品数”を参照し、今回の店舗抽選に対応する店舗６用に景品Ｇが残っているか否か判別する。そして、景品Ｇが残っていない場合、センターサーバ２は全国抽選データ２６の“解禁店舗”の情報を更新する。具体的には、センターサーバ２は、今回の店舗抽選の対象の店舗６が追加されるように“解禁店舗”の情報を更新する。そして、このような更新の後、センターサーバ２は今回の店舗抽選処理を終了する。これにより、店舗抽選が実現される。
【００４６】
全国抽選処理は、全国抽選を実現するための処理である。全国抽選は店舗抽選と同様に適宜に実現されてよいが、図１０の例は図９の例と同様にセンターサーバ２を通じて実現され、かつその抽選結果に対応するデータの更新がゲーム機３側で実行される場合の店舗抽選処理を示している。また、図１０の全国抽選処理におけるステップＳ４０１〜Ｓ４０４の処理は、図９の店舗抽選処理におけるステップＳ２０１〜Ｓ２０４の処理にそれぞれ対応し、ステップＳ４０１〜Ｓ４０４の処理では店舗抽選の代わりに全国抽選が要求等され、店舗抽選データ２５の代わりに全国抽選データ２６が更新される。
【００４７】
同様に、図１０の全国抽選処理におけるステップＳ５０１〜Ｓ５０３の処理は、図９の店舗抽選処理におけるステップＳ３０１〜Ｓ３０３の処理にそれぞれ対応し、ステップＳ５０１〜Ｓ５０３の処理では店舗抽選の代わりに全国抽選が要求等され、店舗抽選データ２５の代わりに全国抽選データ２６が更新される（ただし、“解禁店舗”の情報の更新は省略されてよい）。これらにより、全国抽選が実現される。
【００４８】
以上に説明したように、この形態によれば、店舗抽選の抽選結果が解禁条件を満たした店舗６、より具体的には店舗抽選における抽選結果として当選がなくなった店舗６には店舗抽選の代わりに全国抽選が提供される一方で、店舗抽選の当選がなくなるまで（解禁条件が満たされるまで）全国抽選は提供されない。つまり、全店舗６には店舗６毎の店舗抽選と全店舗６（全国）を対象にする全国抽選とが重複的に用意されるものの、店舗抽選の当選（景品Ｇ）がなくなった（解禁条件が満たされた）場合にのみ抽選対象が店舗抽選から全国抽選に切り替えられる。結果として、早期に店舗抽選の抽選結果が解禁条件を満たした店舗６、つまり早期に店舗抽選の景品Ｇがなくなった店舗６には、店舗抽選（店舗抽選イベント）に加えて全国抽選（全国抽選イベント）の機会を付与することができる。これにより、このような全国抽選の機会がなく、景品Ｇの終了とともに一部の店舗６においいてのみ早期に店舗抽選が終了してしまう場合に比べて、他の店舗６よりも早期に店舗抽選の景品Ｇがなくなってしまった店舗６におけるユーザの満足度を向上させることができる。結果として、店舗抽選の終了とともに早期にイベントが終了してしまう場合に比べて、店舗抽選後の全国抽選イベントを通じて引き続きゲームの利用を促進することができる。つまり、このようなユーザの満足度の向上を通じて、各店舗６の利用を促進することができる。さらに、仮にイベント期間の途中において店舗抽選の景品Ｇがなくなってしまったとしても、その店舗抽選は全国抽選によってカバーされるため、店舗抽選の景品Ｇがイベント期間において維持されるような厳密な在庫管理を行う必要がない。結果として、このような厳密な在庫管理が必要な場合（店舗抽選の代替として全国抽選が用意されていない場合）と比べて、各店舗６における在庫管理の管理者（店舗６、或いはイベントの運営者等）の負担を軽減することができる。これらにより、各店舗６の運営者等の満足度も向上させることができる。
【００４９】
以上の形態において、ゲーム機３のゲーム提供部３３が、図８の手順を実行することにより本発明の条件判別手段、及び拡大抽選手段として機能する。具体的には、ゲーム提供部３３が図８のステップＳ１０２を実行することにより本発明の条件判別手段として機能する。また、ゲーム提供部３３が図８のステップＳ１０３及びステップＳ１０４を実行することにより本発明の拡大抽選手段として機能する。
【００５０】
本発明は上述した形態に限定されず、適宜の変形又は変更が施された形態にて実施されてよい。例えば、上述の形態では、店舗抽選、及び全国抽選では、同じ景品Ｇが利用されている。しかし、本発明は、このような形態に限定されない。上述のとおり、店舗抽選及び全国抽選では適宜の景品が採用されてよく、結果としてそれらの景品は一致していても、一致していなくもよい。このため、例えば、店舗抽選と全国抽選との間で価値の相違する景品が利用されてもよい。この場合、店舗抽選の方の景品の価値が全国抽選の方の景品の価値よりも高くてもよいし、反対に低くてもよい。上述のとおり、全国抽選は店舗抽選の補助として解禁条件を満たす一部の店舗６に提供されるため、全国抽選が提供されない店舗６も生じ得る。例えば、店舗抽選の景品の価値が全国抽選の景品の価値よりも高い（つまり全国抽選の景品として店舗抽選の景品よりも価値の低い景品が採用される）場合、このような全国抽選が提供されない店舗６のユーザ（或いは運営者）が感じる可能性がある不公正感を比較的抑制することができる。
【００５１】
また、上述の形態では、店舗抽選及び全国抽選の景品Ｇとして選手カードが利用されている。しかし、本発明は、このような形態に限定されない。上述のとおり、店舗抽選及び全国抽選では適宜の景品が提供されてよく、店舗抽選等の付与対象は物、アイテム、或いはキャラクタ等の景品にも限定されない。例えば、ゲームに関連する各種の要素（ゲームの進行に有利な影響を与える要素だけでなく、ゲーム画面の背景、特定の称号等のユーザの嗜好性等に関連する各種の要素が含まれてよい）、或いは条件（例えばキャラクタに関する特定のスキルの解禁、或いは特定の進行等のイベントの付与等）等の各種の特典が店舗抽選等によって景品として付与されてよい。
【００５２】
また、上述の形態では、ゲーム機としてアーケートゲーム機が利用されている。しかし、本発明は、このような形態に限定されない。ゲーム機として、据え置き型のいわゆる家庭用ゲーム装置や上述のとおりユーザ端末装置４等が利用されてもよい。また、ゲーム機３はこれらのユーザ端末装置４等を遠隔入出力装置として利用しつつセンターサーバ２等のサーバ上で仮想的に動作するゲーム装置として構成されてもよい。さらに、ゲーム装置がセンターサーバ２として機能してもよい。つまり、上述の形態のセンターサーバ２の役割（各種処理等）の全部或いは一部をゲーム機３等のゲーム装置が実行してもよい。あるいは、反対にセンターサーバ２単体（複数サーバ装置によって構成される場合を含む）が本発明のゲームシステムとして機能してもよい。
【００５３】
同様に、店舗抽選、或いは全国抽選に限定されず、これらに対応する抽選（それぞれ基礎抽選、及びそれよりも範囲の広い拡大抽選と呼ぶ場合がある）は適宜のゲーム機（或いはそれを利用するユーザ）によって形成される各種のグループの単位で実現されてよい。このようなグループは、例えば、各ゲーム機を利用するユーザの属性（例えば性別、年齢、或いは住所等）に応じて設定されてもよいし、各ユーザのプレイ状況（例えば進行状況、キャラクタのレベル等）に応じて設定されてもよい。つまり、各グループは、ゲーム機のユーザに関連する各種の条件に基づいて適宜に設定されてよい。あるいは、複数のゲーム機は、位置に応じて市町村等の単位でグループ化されてもよい。そして、例えば、市町村の単位で基礎抽選が、それらを含む都道府県の範囲で拡大抽選が、それぞれ提供されてもよい。つまり、各グループは、ゲーム機に関連する各種の条件に基づいて適宜に設定されてもよい。また、複数のゲーム機が複数の施設に設置される場合には、各グループはそれらの施設の位置等の施設（施設もゲーム機に関する条件の一種として判断されてもよい）に関連する各種の条件に基づいて適宜に設定されてもよい。したがって、各グループに属するゲーム機の数も適宜でよい。つまり、各グループ間においてゲーム機の数は一致していてもよいし、相違していてもよい。さらに、拡大抽選は、一つに限定されない。基礎抽選を補助する限り、適宜の数の拡大抽選が実行されてよい。
【００５４】
上述した実施の形態及び変形例のそれぞれから導き出される本発明の各種の態様を以下に記載する。なお、以下の説明では、本発明の各態様の理解を容易にするために添付図面に図示された対応する部材を括弧書きにて付記するが、それにより本発明が図示の形態に限定されるものではない。
【００５５】
本発明のゲームシステムは、基礎特典（Ｇ）を付与するための基礎抽選が、ゲームをそれぞれ提供する複数のゲーム機（３）によって形成される複数のグループ（６）のグループ毎に各グループに限定されるように各グループに属するゲーム機を介して提供される場合に、前記複数のゲーム機にネットワーク（５）を介して接続されるゲームシステム（１）であって、前記複数のグループのうちの二以上のグループを対象に拡大特典（Ｇ）を付与するための拡大抽選を実行する条件として前記二以上のグループの少なくとも一つのグループに対応する前記基礎抽選の抽選結果が解禁条件を満たすか否か判別する条件判別手段（３３）と、前記解禁条件が満たされる場合に当該解禁条件を満たすグループとしての解禁グループを対象に前記基礎抽選の代わりに前記拡大抽選を提供する一方で、前記拡大抽選の対象が前記二以上のグループのうち前記解禁グループに限定されるように前記解禁条件が満たされるまで前記拡大抽選の提供をグループ毎に制限する拡大抽選手段（３３）と、を備えるものである。
【００５６】
本発明によれば、基礎抽選の抽選結果が解禁条件を満たした解禁グループには基礎抽選の代わりに拡大抽選が提供される一方で、解禁条件が満たされるまで拡大抽選は提供されない。つまり、二以上のグループには基礎抽選と拡大抽選とが重複的に用意されるものの、解禁条件が満たされた場合にのみ抽選対象が基礎抽選から拡大抽選に切り替えられる。結果として、早期に基礎抽選の抽選結果が解禁条件を満たしたグループには、基礎抽選に加えて拡大抽選の機会を付与することができる。これにより、このような拡大抽選の機会がない場合に比べて、他のグループよりも早期に基礎抽選の抽選結果が解禁条件を満たしたグループにおけるユーザの満足度を向上させることができる。
【００５７】
各グループは、各種の条件に基づいて適宜に設定されてよい。例えば、各グループは、各ゲーム機を利用するユーザの属性（例えば性別、年齢、或いは住所等）に応じて設定されてもよいし、各ユーザのプレイ状況（例えば進行状況、キャラクタのレベル等）に応じて設定されてもよい。つまり、各グループは、ゲーム機のユーザに関連する各種の条件に基づいて適宜に設定されてよい。あるいは、複数のゲーム機は、位置に応じて市町村等の単位でグループ化されてもよい。つまり、各グループは、ゲーム機に関連する各種の条件に基づいて適宜に設定されてもよい。また、複数のゲーム機が複数の施設に設置される場合には、各グループはそれらの施設の位置等の施設（施設もゲーム機に関する条件の一種として判断されてもよい）に関連する各種の条件に基づいて適宜に設定されてもよい。したがって、各グループに属するゲーム機の数も適宜でよい。つまり、各グループ間においてゲーム機の数は一致していてもよいし、相違していてもよい。
【００５８】
具体的には、例えば、本発明のゲームシステムの一態様において、前記条件判別手段は、前記複数のゲーム機が複数の施設（６）に配置され、当該複数の施設が前記複数のグループとしてそれぞれ機能する場合に、前記二以上のグループとしてそれぞれ機能する二以上の施設の施設毎に前記解禁条件が満たされるか否か判別し、前記拡大抽選手段は、前記解禁グループとして機能する解禁施設を対象に前記拡大抽選を提供する一方で、前記拡大抽選の対象が前記二以上の施設のうち前記解禁施設に限定されるように前記解禁条件が満たされるまで前記拡大抽選の提供を施設毎に制限してもよい。この場合、ユーザの満足度の向上を通じて、各施設の利用を促進することができるので、各施設の運営者の満足度も向上させることができる。
【００５９】
拡大抽選の対象の二以上のグループは、適宜に設定されてよい。例えば、二以上のグループは、複数のグループの一部であっても、全部であってもよい。具体的には、例えば、グループとして施設が利用される態様において、前記条件判別手段は、前記二以上の施設として前記複数の施設の全施設が設定される場合に当該全施設の施設毎に前記解禁条件が満たされるか否か判別してもよい。
【００６０】
また、基礎特典、及び拡大特典として、各種の特典が利用されてよい。例えば、これらとして物理的な景品が利用されてもよいし、電子的な景品が利用されてもよい。あるいは、このような特典として、ゲームに関連する各種の要素（ゲームの進行に有利な影響を与える要素だけでなく、ゲーム画面の背景、特定の称号等のユーザの嗜好性等に関連する各種の要素が含まれてよい）、或いは条件（例えばキャラクタに関する特定のスキルの解禁、或いは特定の進行等のイベントの付与等）等が利用されてもよい。また、基礎特典、及び拡大特典は互いに一致していても、相違していてもよい。同様に、基礎特典、及び拡大特典の価値は、互いに一致していても、相違していてもよい。価値が相違する場合、いずれに価値の高い特典が採用されてもよい。例えば、本発明のゲームシステムの一態様において、前記拡大抽選手段は、前記拡大特典として前記基礎特典よりも価値の低い特典が付与されるように前記解禁施設に前記拡大抽選を提供してもよい。この場合、拡大抽選が提供されないグループのユーザが感じる可能性がある不公平感を比較的抑制することができる。
【００６１】
一方、本発明のコンピュータプログラム（ＰＧ２）は、前記複数のゲーム機に前記ネットワーク（５）を介して接続されるコンピュータ（３１）を、上述のゲームシステムの各手段として機能させるように構成されたものである。
【００６２】
また、本発明の制御方法は、基礎特典（Ｇ）を付与するための基礎抽選が、ゲームをそれぞれ提供する複数のゲーム機（３）によって形成される複数のグループ（６）のグループ毎に各グループに限定されるように各グループに属するゲーム機を介して提供される場合に、前記複数のゲーム機にネットワーク（５）を介して接続されるゲームシステム（１）に組み込まれるコンピュータ（３１）に、前記複数のグループのうちの二以上のグループを対象に拡大特典（Ｇ）を付与するための拡大抽選を実行する条件として前記二以上のグループの少なくとも一つのグループに対応する前記基礎抽選の抽選結果が解禁条件を満たすか否か判別する条件判別手順と、前記解禁条件が満たされる場合に当該解禁条件を満たすグループとしての解禁グループを対象に前記基礎抽選の代わりに前記拡大抽選を提供する一方で、前記拡大抽選の対象が前記二以上のグループのうち前記解禁グループに限定されるように前記解禁条件が満たされるまで前記拡大抽選の提供をグループ毎に制限する拡大抽選手順と、を実行させるものである。本発明のコンピュータプログラムが実行されることにより、本発明のゲームシステムを実現することができる。
【符号の説明】
【００６３】
１  ゲームシステム
３  ゲーム機
５  ネットワーク
６  施設（グループ）
３１  制御ユニット（コンピュータ）
３３  ゲーム提供部(条件判別手段、拡大抽選手段）
Ｇ  景品（基礎特典、拡大特典）
ＰＧ２  プログラム（コンピュータプログラム）
【要約】
【課題】他のグループよりも早期に基礎抽選の抽選結果が解禁条件を満たしたグループにおけるユーザの満足度を向上させることができるゲームシステムを提供する。
【解決手段】ゲームシステム１は、景品Ｇを付与するための店舗抽選が、ゲームをそれぞれ提供する複数のゲーム機３が設置される複数の店舗６の店舗６毎に各店舗６に限定されるように各店舗６に属するゲーム機３を介して提供される場合に、複数のゲーム機３にネットワーク５を介して接続される。そして、ゲームシステム１は、全店舗６を対象に景品Ｇを付与するための全国抽選を実行する条件として店舗抽選の抽選結果が解禁条件を満たすか否か判別し、解禁条件を満たす店舗６を対象に店舗抽選の代わりに全国抽選を提供する一方で、全国抽選の対象がその店舗６に限定されるように解禁条件が満たされるまで全国抽選の提供を店舗６毎に制限する。
【選択図】図４【図１】
0006723590.tif 000002
【図２】
0006723590.tif 000003
【図３】
0006723590.tif 000004
【図４】
0006723590.tif 000005
【図５】
0006723590.tif 000006
【図６】
0006723590.tif 000007
【図７】
0006723590.tif 000008
【図８】
0006723590.tif 000009
【図９】
0006723590.tif 000010
【図１０】
0006723590.tif 000011